(57)【要約】【課題】この発明は基体に床板を回動可能に設けて着たい内部を収容部として利用する場合、基体の側板を補強するようにしたベッド装置を提供することにある。【解決手段】  上面が開口し内部を収容部とした箱形状の基体１と、基体の一対の側板５の長手方向の一端部の内面に設けられたリンク機構４に長手方向の一端部が連結され基体の上面開口を閉塞した状態から開放する上昇方向に回動可能に設けられた床板３と、床板上に着脱可能に載置されるマットレス２３と、基体と上記床板とに一端と他端とを枢着して設けられその付勢力によって上記床板を上記基体の上面開口を開放する回動方向に付勢したガススプリング２１と、基体の長手方向中途部に幅方向に沿って設けられ両端が基体の一対の側板の内面に連結された補強部材１１と、基体のリンク機構が設けられた側板の長手方向一端部の内面に一側面を対向させて設けられ一端が補強部材の端部に連結され他端が基体の長手方向の端部内面に連結された遮蔽部材２６とを具備する。【選択図】      図１
2006095221.tif 000002
【特許請求の範囲】
【請求項１】
上面が開口し内部を収容部とした箱形状の基体と、
この基体の一対の側板の長手方向の一端部の内面に設けられたリンク機構に長手方向の一端部が連結され上記基体の上面開口を閉塞した状態から開放する上昇方向に回動可能に設けられた床板と、
この床板上に着脱可能に載置されるマットレスと、
上記基体と上記床板とに一端と他端とを枢着して設けられその付勢力によって上記床板を上記基体の上面開口を開放する回動方向に付勢したガススプリングと、
上記基体の長手方向中途部に幅方向に沿って設けられ両端が上記基体の一対の側板の内面に連結された補強部材と、
上記基体の上記リンク機構が設けられた上記側板の長手方向一端部の内面に一側面を対向させて設けられ一端が上記補強部材の端部に連結され他端が上記基体の長手方向の端部内面に連結された遮蔽部材と
を具備したことを特徴とするベッド装置。
【請求項２】
上記補強部材には、長手方向両端部を除く部分の全長にわたって上端面に開放した凹部が形成されていることを特徴とする請求項１記載のベッド装置。
【発明の詳細な説明】
【技術分野】
【０００１】
この発明は基体を物品の収容部として利用することができるようにしたベッド装置に関する。
【背景技術】
【０００２】
一般に、ベッド装置は箱形状の基体を有する。この基体の長手方向一端にはヘッドボードが立設されている。基体の上面には床板が設けられ、この床板の上面にはマットレスが載置される。
【０００３】
このような構成のベッド装置において、上記基体の内部空間を小物類を収容するための収容部として利用できるようにしたものがある。基体の内部空間を収容部として利用する場合、上記基体を上面が開口した箱形状に形成するとともに、この基体に対して上記床板を回動可能に連結する。そして、床板を回動上昇させることで、上記基体の上面を開放し、内部空間である収容部に小物類を出し入れできるようにしている。
【０００４】
基体を収容部として利用する場合、上記床板の長手方向の一端を上記基体の幅方向一端にリンク機構によって回動可能に連結し、基体の上面開口を開閉可能としている。また、上記床板の回動上昇を軽い力で楽に行なうことができるようにするとともに、倒伏させるときに床板が緩やかに下降するようにするため、基体と床板との間にガススプリングを設けるということが行なわれている。
【０００５】
上記リンク機構やガススプリングは、上記床板の下面と、上記基体の側板の内面とに一端と他端とを連結して設けられる。それによって、床板を倒伏させれば、上記リンク機構やガススプリングが基体内部に隠れるから、外観的に良好であるということがある。
【０００６】
上記リンク機構やガススプリングを基体の側板に取り付けると、側板にはリンク機構やガススプリングを介して床板やこの床板に載置されるマットレスの重量が加わることになる。とくに、床板を上昇方向に回動させたときには、倒伏状態にあるときよりも側板に加わる荷重が大きくなる。側板に加わる荷重が大きくなると、この側板が基体の幅方向に変形するということがある。とくに、上昇させた床板に不用意な外力を加えた場合、上記側板に加わる荷重が大きくなり、変形も大きくなるということがある。  
そこで、従来は、上記基体の側板がリンク機構やガススプリングから受ける荷重によって変形しないよう、側板を厚くし、その側板の剛性を高めるようにしていた。
【発明の開示】
【発明が解決しようとする課題】
【０００７】
しかしながら、側板を厚くして剛性を高めるようにすると、基体の高重量化やコスト上昇を招くということがあったり、側板をある程度厚くするだけではその変形を確実に防止することが難しいということなどがあった。
【０００８】
この発明は、床板を介して基体の側板が荷重を受けても、その荷重によって側板が変形し難いようにしたベッド装置を提供することにある。
【課題を解決するための手段】
【０００９】
この発明は、上面が開口し内部を収容部とした箱形状の基体と、
この基体の一対の側板の長手方向の一端部の内面に設けられたリンク機構に長手方向の一端部が連結され上記基体の上面開口を閉塞した状態から開放する上昇方向に回動可能に設けられた床板と、
この床板上に着脱可能に載置されるマットレスと、
上記基体と上記床板とに一端と他端とを枢着して設けられその付勢力によって上記床板を上記基体の上面開口を開放する回動方向に付勢したガススプリングと、
上記基体の長手方向中途部に幅方向に沿って設けられ両端が上記基体の一対の側板の内面に連結された補強部材と、
上記基体の上記リンク機構が設けられた上記側板の長手方向一端部の内面に一側面を対向させて設けられ一端が上記補強部材の端部に連結され他端が上記基体の長手方向の端部内面に連結された遮蔽部材と
を具備したことを特徴とするベッド装置にある。
【００１０】
上記補強部材には、長手方向両端部を除く部分の全長にわたって上端面に開放した凹部が形成されていることが好ましい。
【発明の効果】
【００１１】
この発明によれば、基体の一対の側板は補強部材によって連結されて補強されるから、側板に加わる床板などの荷重で側板が変形するのを防止することができる。しかも、補強部材の端部と基体の端板にそれぞれ一端と他端を連結して遮蔽部材を設けたから、この遮蔽部材によって、リンク機構が基体内の収容部に露出するのを防止できる。
【発明を実施するための最良の形態】
【００１２】
以下、図面を参照しながらこの発明の一実施の形態を説明する。
【００１３】
図１乃至図３に示すこの発明のベッド装置は基体１を備えている。この基体１は上面が開口した矩形箱形状に形成されている。この基体１の上面開口は後述する床板３によって開閉されるようになっている。この床板３は上記基体１の平面形状と幅寸法はほぼ同じであるが、長さ寸法がわずかに長い矩形板状をなしていて、その長手方向一端部の幅方向両側部がそれぞれリンク機構４によって後述するごとく上記基体１に回動可能に連結されている。
【００１４】
上記基体１は所定の間隔で離間対向した一対の側板５を有する。これら側板５の長手方向一端にはヘッドボード６がＬ字状の第１の連結具７によって連結固定されている。側板５の長手方向他端にはフットボードを兼ねる側板５と同じ高さ寸法の端板８が第２の連結具９によって連結固定されている。
【００１５】
上記一対の側板５の長手方向中間部には、補強部材１１が長手方向の一端と他端とを上記側板５の内面に突き合わせてＴ字状に連結されている。すなわち、上記補強部材１１の両端には図６（ｂ）に示すようにナット１２が埋め込まれ、このナット１２に図４と図５に示すように側板５の外面からねじ１３をねじ込むことで、上記補強部材１１の両端が上記側板５に連結されている。この補強部材１１の両端部を除く部分には長手方向全長にわたって上端面に開放した凹部１１ａが形成されている。
【００１６】
上記基体１の内部は上記補強部材１１によって長手方向中途部で区画された第１、第２の収容部１４ａ，１４ｂに形成されている。そして、各収容部１４ａ，１４３ｂには薄い板状の底板１５がそれぞれ落とし込まれている。
【００１７】
上記リンク機構４は、図１乃至図３に示すよう一対の側板５のヘッドボード６側の内面に両端が取り付け固定された第１の取り付け金具１６を有する。この第１の取り付け金具１６の一端と他端とにはそれぞれ第１のリンク１７と、この第１のリンクよりも長尺な第２のリンク１８との一端が回動可能に連結されている。
【００１８】
これら第１、第２のリンク１７，１８の他端が上記床板３の長手方向一端部の下面の幅方向両端部に一辺を連結固定した第２の取り付け金具１９の他辺に回動可能に連結されている。それによって、上記床板３は一端部を支点として図１に示すように上記基体１の上面開口を閉塞した倒伏状態と、図２に示すように基体１の上面開口を開放した起立状態との間で回動可能となっている。
【００１９】
図１に示すように、床板３を倒伏させて基体１の上面開口を閉塞すると、その他端部が端板８よりもわずかに外方へ突出する。それによって、床板３を起立方向に回動させるとき、その突出端の下面に手を掛けることができるようになっている。
【００２０】
上記一対の側板５の上記第１の収容部１４ａ内に位置する中途部の内面と、上記床板３の一端部の幅方向両端部とには、それぞれ一端と他端とを連結してガススプリング２１が設けられている。一対のガススプリング２１は上記床板３を上昇方向に付勢している。したがって、床板３はガススプリング２１の付勢力によって軽い力で上昇方向に回動させることができるとともに、倒伏方向に急激に回動するのが阻止されるようになっている。
【００２１】
上記床板３の下面の幅方向両端部には補強桟２２が長手方向に沿って取り付け固定されている。床板３はこれら一対の補強桟２２によって補強され、長手方向に湾曲するのが阻止されている。上記補強桟２２は、床板３を倒伏させたときに、補強部材１１の凹部１１ａに対応する位置に設けられている。それによって、補強桟２２が補強部材１１に当たり、床板３の下面が基体１の上端面に接するのを妨げることがない。すなわち、床板３によって基体１の上面開口を確実に閉塞することができる。
【００２２】
上記床板３の上面にはマットレス２３が載置される。床板３の長手方向一端には、床板３を起立方向に回動させたとき、マットレス２３が床板３上からずれ落ちるのを防止するためのストッパ２４が設けられている。
【００２３】
図３に示すように上記第１の収容部１３ａには、側板５の内面に所定間隔で離間して板状の遮蔽部材２６が一端を上記補強部材１１の凹部１１ａから外れた端部に連結し、他端を上記基体１のヘッドボード６の内面に連結して設けられている。すなわち、上記遮蔽部材２６の一端と他端とには図６（ａ）に示すようにそれぞれ一対のダボ２７が上下方向に所定間隔で突設されていて、これらダボ２７を上記補強部材１１の両端部とヘッドボード６の両端部とに形成された嵌合孔２８（補強部材１１に形成された嵌合孔２８のみを図６（ｂ）示す）に嵌合させている。  
それによって、上記遮蔽部材２６は、上記側板５の内面に連結されたリンク機構４とススプリング２１とを第１の収容部１４ａ内に露出しないよう覆い隠している。
【００２４】
このように構成されたベッド装置によれば、基体１の一対の側板５の中途部に補強部材１１を連結したから、この補強部材１１によって基体１の側板５が補強される。そのため、床板３を起立方向に回動上昇させたときなどに床板３やマットレス２３の重量がリンク機構４やガススプリング２１を介して側板５に加わっても、側板５が変形するのを防止することができる。
【００２５】
しかも、床板３はその下面の長手方向に沿って設けられた補強桟２２によって補強されている。そのため、回動上昇させた床板３に不用意な外力が加わるようなことがあっても、床板３が長手方向に大きく撓むのを防止することができる。
【００２６】
上記側板５の内面には、一端をヘッドボード６に連結し、他端を補強部材１１に連結して遮蔽部材２６を設けるようにした。この遮蔽部材２６は上記リンク機構４やガススプリング２１が第１の収容部１４ａ内に露出しないように遮蔽している。そのため、第１の収容部１４ａに衣類などの小物類を収容した場合、上記遮蔽部材２６によって小物類がリンク機構４やガススプリング２１に接触するのを阻止するから、衣類などが汚れたり、リンク機構４に挟まるなどのことがない。
【００２７】
基体１を補強した補強部材１１には、長手方向両端部を除く部分の全長にわたって凹部１１ａを形成した。そのため、基体１内が補強部材１１によって第１の収容部１１ａと第２の収容部１１ｂとに分けられていても、上記凹部１１ａを利用して第１の収容部１１ａと第２の収容部１１ｂとに跨る長さのものを収容することができる。つまり、補強部材１１によって基体１内が２つの収容部１１ａ，１１ｂに分けられても、基体１とほぼ同じ長さの長尺物を収容することができる、便利である。
【００２８】
なお、この発明は上記一実施の形態では、床板のヘッドボード側に位置する一端部を基体にリンク機構によって連結したが、ヘッドノードと反対側の端板側に位置する他端部を基体にリンク機構によって回動可能に連結するようにしても差し支えない。
【図面の簡単な説明】
【００２９】
【図１】この発明の一実施の形態を示す床板を倒伏させたベッド装置の側縦断面図。
【図２】床板を上昇させたベッド装置の側縦断面図。
【図３】床板を鎖線で示す基体の平面図。
【図４】基体の一部を破断したベッド装置の正面図。
【図５】側板と補強部材との連結部分の拡大図。
【図６】（ａ）は遮蔽部材の正面図、（ｂ）は補強部材の正面図。
【符号の説明】
【００３０】
１…基体、３…床板、４…リンク機構、５…側板、６ヘッドボード、８…端板、１１…補強部材、１４ａ…第１の収容部、１４ｂ…第２の収容部、２１…ガススプリング、２３…マットレス、２６…遮蔽部材。
【図１】
2006095221.tif 000003
【図２】
2006095221.tif 000004
【図３】
2006095221.tif 000005
【図４】
2006095221.tif 000006
【図５】
2006095221.tif 000007
【図６】
2006095221.tif 000008